(57)【特許請求の範囲】
【請求項１】
中空のドラム（１００）と、
前記中空ドラム（１００）の内側に位置するスクリュー組立体（２００）とを含む搾汁スクリュー組立体であって、
前記スクリュー組立体（２００）は、
搾汁刃（２５１）を具備した組立体上部（２５０）と、
前記組立体上部（２５０）と着脱可能な組立体下部（２７０）とを含み、
前記組立体下部（２７０）の外部面に搾汁リブ（２７１）を具備し、
前記組立体下部（２７０）が前記組立体上部（２５０）に装着されると、前記組立体下部（２７０）と前記組立体上部（２５０）とが連続的につながり、かつ、前記搾汁刃（２５１）と前記搾汁リブ（２７１）とが連続的につながり、
前記組立体下部（２７０）は、側面に多数の開口部を有し、前記組立体上部（２５０）から分離すると上部が開放される中空状の下部ボディ（２７５）を含み、
前記組立体上部（２５０）と前記組立体下部（２７０）を分離することにより、前記下部ボディ（２７５）の中空部にメッシュ網（２７６）を着脱可能であり、
前記組立体下部（２７０）が前記組立体上部（２５０）に装着され、かつ、前記組立体下部（２７０）に前記メッシュ網（２７６）が装着された状態で搾汁対象物が前記搾汁スクリュー組立体に投入されると、前記搾汁対象物は、前記スクリュー組立体（２００）の回転により、搾汁物と搾汁滓とに区分され、連続的につながった前記搾汁刃（２５１）と前記搾汁リブ（２７１）に沿って下方に流動し、前記搾汁物は、前記開口部及び前記メッシュ網（２７６）を介して前記下部ボディ（２７５）の前記中空部に流動し、搾汁滓は前記メッシュ網（２７６）を通過せずに、前記スクリュー組立体（２００）の外側で流動する、
搾汁スクリュー組立体。
【請求項２】
前記メッシュ網（２７６）はソリッド網（２７６'）に代替可能である、請求項１に記載の搾汁スクリュー組立体。
【請求項３】
前記組立体下部（２７０）が前記組立体上部（２５０）に装着され、かつ、前記組立体下部（２７０）に前記ソリッド網（２７６'）が装着された状態で、搾汁対象物が前記搾汁スクリュー組立体に投入されると、前記搾汁対象物は、前記スクリュー組立体（２００）の回転により、搾汁物と搾汁滓とに区分され、搾汁物と搾汁滓はともに前記ソリッド網（２７６'）を通過せずに、前記スクリュー組立体（２００）の外側で流動する、請求項２に記載の搾汁スクリュー組立体。
【請求項４】
前記組立体上部（２５０）は、円錐形の第１部分（Ａ）と逆円錐形の第２部分（Ｂ）を含む、請求項１に記載の搾汁スクリュー組立体。
【請求項５】
前記組立体下部（２７０）は逆円錐形であり、前記第２部分（Ｂ）と連続的につながる、請求項４に記載の搾汁スクリュー組立体。
【請求項６】
前記組立体上部（２５０）の下部に多数の突出部（２５３）が設けられ、
前記組立体下部（２７０）の上部に多数の接続溝（２７３）が設けられ、
前記多数の接続溝（２７３）は、前記多数の突出部（２５３）を挿入により締結可能に構成される、請求項１に記載の搾汁スクリュー組立体。
【請求項７】
前記多数の接続溝（２７３）の下部は、前記スクリュー組立体（２００）の回転方向に、その下部が延長されてなるＬ字型である、請求項６に記載の搾汁スクリュー組立体。
【請求項８】
請求項１乃至７のいずれか一項による搾汁スクリュー組立体と、
前記スクリュー組立体（２００）に回転力を与える回転部材が備えられた本体（３００）と、搾汁対象物が投入される前記中空のドラム（１００）の上部を閉鎖するカバー（１０）とを含む、ジューサー。
【請求項９】
前記ジューサーは、前記組立体下部（２７０）に多数のホールが存在する第１モードと、前記組立体下部（２７０）にホールが存在しない第２モードとのいずれかで選択的に作動する、請求項８に記載のジューサー。
【発明の詳細な説明】
【技術分野】
【０００１】
本発明は、着脱可能な搾汁スクリュー組立体及びそれを含むジューサーに関し、より詳しくは、ユーザーが洗浄の際に便利なように様々な作動モードが可能であり、上下が分離されて着脱が可能なスクリュー組立体を具備した搾汁スクリュー組立体及びそれを含むジューサーに関する。
【背景技術】
【０００２】
従来の垂直型遠心分離式ジューサー、例えば、韓国登録特許第１０１３５０４号は、果物、野菜などの搾汁対象物を投入して切断、移送、粉砕、圧搾されるスクリュー構造体を含む。スクリュー構造体は、ドラム内側に具備され、搾汁網を含み、搾汁対象物が搾汁網とドラムの間を通過する過程で、スクリュー組立体の回転により搾汁が行われる。ユーザーが飲用を希望する搾汁物は、ドラムの下部に別々に集まり、その後搾汁滓から分離されて、それぞれの排出口を通じて排出される。場合によっては、スクリュー組立体に搾汁網が備えられず、ドラムとスクリュー組立体との間に別の搾汁網が備えられてもよい。
【０００３】
しかし、従来のジューサースクリューには、スクリュー組立体に搾汁網が含まれていたり、又は、ドラムとスクリュー組立体の間に搾汁網が備えられている。ユーザーは搾汁が完了すると、ドラムと搾汁網の間に挟まった搾汁滓を洗浄することを望むが、搾汁網を洗浄するためには、スクリュー組立体を取り出してひっくり返した後、内側に手を入れて洗浄しなければならないので、きれいに洗浄するのが困難なだけでなく、作業が非常に面倒である。
また、ユーザーによっては、従来のジューサーのように搾汁物だけを必要とする場合、スムージーやミルクシェイクのように搾汁滓も共に必要とされる場合、又はジューサーを利用してニンニクを潰す場合など、さまざまな好みが存在するが、従来のジューサーでは、このような多様な好みを満たすことができない。
【先行技術文献】
【特許文献】
【０００４】
【特許文献１】韓国登録特許第１０１３５０４号公報
【発明の概要】
【発明が解決しようとする課題】
【０００５】
本発明は、前記のような問題を解決するために案出されたものである。
具体的には、搾汁網を備えたスクリュー組立体の洗浄が困難であるという問題を解決することができる搾汁スクリュー組立体及びそれを含むジューサーを提供する。
【０００６】
また、本発明の一形態は、ユーザーの多様な好みに応じて作動モードを容易に変更できるジューサーを提供する。
【課題を解決するための手段】
【０００７】
一形態によれば、前述の技術的課題を解決するために、本発明の搾汁スクリュー組立体及びそれを含むジューサーは、中空のドラム（１００）と、前記中空ドラム（１００）の内側に位置するスクリュー組立体（２００）とを含む搾汁スクリュー組立体であって、前記スクリュー組立体（２００）は、外側にスクリュー形態の搾汁刃（２５１）が具備された組立体上部（２５０）と、前記組立体上部（２５０）と着脱可能な組立体下部（２７０）とを含む。
【０００８】
一実施形態によれば、前記組立体下部（２７０）の外部面に搾汁リブ（２７１）が具備され、前記組立体上部（２５０）と前記組立体下部（２７０）が装着されると、前記搾汁刃（２５１）と前記搾汁リブ（２７１）が連続的につながる。
【０００９】
一実施形態によれば、前記組立体上部（２５０）と前記組立体下部（２７０）が装着された状態で、搾汁対象物が前記搾汁スクリュー組立体に投入されると、前記スクリュー組立体（２００）の回転により搾汁対象物は、搾汁物と搾汁滓とに区分されて、連続的につながった前記搾汁刃（２５１）と前記搾汁リブ（２７１）に沿って下方に流動する。
【００１０】
一実施形態によれば、前記組立体下部（２７０）は、多数の開口部を有する下部ボディ（２７５）を含み、前記下部ボディ（２７５）には着脱可能なメッシュ網（２７６）が位置する。
【００１１】
一実施形態によれば、前記メッシュ網（２７６）は、ソリッド網（２７６'）に代替可能である。
【００１２】
一実施形態によれば、前記組立体下部（２７０）には、メッシュ網（２７６）が位置し、前記組立体下部（２７０）と前記メッシュ網（２７６）は一体的に製造されている。
【００１３】
一実施形態によれば、前記組立体下部（２７０）には、ソリッド網（２７６'）が位置し、前記組立体下部（２７０）と前記ソリッド網（２７６'）は一体的に製造されている。
【００１４】
一実施形態によれば、前記組立体上部（２５０）と前記組立体下部（２７０）が装着され、前記メッシュ網（２７６）が配置さ状態で、搾汁対象物が前記搾汁スクリュー組立体に投入されると、前記スクリュー組立体（２００）の回転により搾汁対象物は搾汁物と搾汁滓とに区分され、搾汁物は前記メッシュ網（２７６）を通過して前記スクリュー組立体（２００）の内側に流動し、搾汁滓は前記メッシュ網（２７６）を通過せずに、前記スクリュー組立体（２００）の外側に流動する。
【００１５】
一実施形態によれば、前記組立体上部（２５０）と、前記組立体下部（２７０）が装着され、前記ソリッド網（２７６'）が位置する状態で、搾汁対象物が前記搾汁スクリュー組立体に投入されると、前記スクリュー組立体（２００）の回転により搾汁対象物は搾汁物と搾汁滓とに区分され、搾汁物と搾汁滓は前記ソリッド網（２７６'）を通過せずに、前記スクリュー組立体（２００）の外側に流動する。
【００１６】
一実施形態によれば、前記組立体上部（２５０）は、円錐形の第１部分（Ａ）と逆円錐形の第２部分（Ｂ）とを含む。
【００１７】
一実施形態によれば、前記組立体下部（２７０）は逆円錐形であり、前記第２部分（Ｂ）で連続的につながる。
【００１８】
一実施形態によれば、前記組立体上部（２５０）の下部に多数の突出部（２５３）が具備され、前記組立体下部（２７０）の上部に前記多数の突出部（２５３）が挿入されて締結可能な多数の接続溝（２７３  ）が備えられている。
【００１９】
一実施形態によれば、前記連結溝（２７３）は、前記スクリュー組立体（２００）の回転方向に、その下部が延長したＬ字型である。
【００２０】
本発明の他の一形態によれば、前述の実施形態のいずれか１つとして搾汁スクリュー組立体を含むジューサーは、前記スクリュー組立体（２００）に回転力を与える回転部材が備えられた本体（３００）と、搾汁対象物が投入される前記ドラム（１００）の上部を閉鎖するカバー（１０）を含む。
【００２１】
一実施形態によれば、前記ジューサーは、前記組立体下部（２７０）に多数のホールが存在する第１モードと前記組立体下部（２７０）にホールが存在しない第２モードのいずれかが選択的に作動する。
【発明の効果】
【００２２】
上述の通り、本発明は、スクリュー組立体を容易に取りはずせるので、ユーザーによる洗浄が簡便であるという利点がある。
【００２３】
また、本発明は、ユーザーがメッシュ網又はソリッド網のいずれかを選択することにより、作動モードを容易に変更し、搾汁物と搾汁滓が共に必要な場合や、搾汁滓を分離する場合など、どのようなユーザーの好みをも満たすことができる。
【図面の簡単な説明】
【００２４】
【図１】本発明の実施例１及び実施例２による搾汁スクリュー組立体と、それを含むジューサーを説明するための斜視図である。
【図２】本発明の実施例１及び実施例２による搾汁スクリュー組立体と、それを含むジューサーを説明するための分解斜視図である。
【図３】本発明の実施例１及び実施例２による搾汁スクリュー組立体を説明するための斜視図を示す。
【図４ａ】本発明の実施例１による搾汁スクリュー組立体を説明するための分解斜視図である。
【図４ｂ】本発明の実施例１による搾汁スクリュー組立体を説明するための分解斜視図である。
【図４ｃ】本発明の実施例１による搾汁スクリュー組立体を説明するための分解斜視図である。
【図５】本発明の実施例２による搾汁スクリュー組立体を説明するための分解斜視図である。
【図６】本発明の実施例１及び実施例２による搾汁スクリュー組立体を説明するための断面図である。
【図７】本発明の実施例３による搾汁スクリュー組立体を説明するための分解斜視図である。
【発明を実施するための形態】
【００２５】
本発明は、搾汁スクリュー組立体が具備されたジューサーを実施例によって説明するが、本発明がこれらの実施例に限定されるものではない。本発明に関する同様の原理はジューサー以外の機器にも適用することができる。したがって、同様の原理が適用された搾汁スクリュー組立体が具備された他の機器にも、添付の特許請求の範囲に基づいて本発明の権利範囲が及ぶことは自明なことである。
【００２６】
本発明を構成する構成要素は、必要に応じて一体型で使用したり、分離して使用することができる。また、使用形態によって、一部の構成要素を省略して使用することもできる。
【００２７】
本発明における用語「ソリッド網」とは、「メッシュ網」と区別される概念であり、「メッシュ網」は、搾汁対象物が搾汁物と搾汁滓とに区分される際に、搾汁物は通過するが、搾汁滓は通過しない網を意味する。しかし、「ソリッド網」は、搾汁物と搾汁滓がいずれも通過しないプレートのような網を意味する。
【００２８】
本発明による搾汁スクリュー組立体及びジューサーの好ましい実施例を添付された図面を参照して説明する。この過程において図面に示された線の太さや構成要素の大きさなどは、説明の明瞭性と便宜上、誇張して図示されることができる。また、後述する技術用語は、本発明の機能を考慮して定義された技術用語であり、これは、ユーザ、運用者の意図又は慣例により変更されてもよい。したがって、このような技術用語の定義は、本明細書の全般にわたる内容に基づいて記述されるべきである。
【実施例】
【００２９】
１．実施例１及び２によるジューサー（５００）の全体構成の説明
以下、本発明によるジューサー（５００）の実施例を添付した図面を参照して説明する。
【００３０】
図１〜図２を参照し、ジューサー（５００）の実施例１及び２によるジューサー（５００）の全体構成を説明する。
【００３１】
ジューサー（５００）は、カバー（１０）、カバー（１０）と締結されるドラム（１００）、ドラム（１００）の内部に回転可能に配置されるスクリュー組立体（２００）及びドラム（１００  ）の下部に結合される本体（３００）を含む。以下では、ドラム（１００）とスクリュー組立体（２００）の両方を含む用語として「搾汁スクリュー組立体」が使用される。
【００３２】
カバー（１０）は、搾汁対象物が投入されるように注入口（１１）が中心から所定の距離離隔され、カバー（１０）、底面内径に沿って結着顎（１３）及び底面中央の回転軸の固定溝（１４）が形成され、前記注入口（１１）に搾汁対象物がよく注入されるように、押し込み機能をする棒状の注入棒（１２）が備えられる。図２に示されるように、注入口（１１）は、カバー（１０）の中央から偏心して位置するが、その位置が特に限定されないことは言うまでもない。
【００３３】
ドラム（１００）は、内部に空間がある中空円筒形の容器構造であり、ドラム（１００）の内部底面の中央を中心にして所定の直径を有する円形で突出形成される案内顎（１１０）、案内顎（１１０  ）を基準にして外側に形成される第１ガイド溝（１１１）、内側に形成される第２ガイド溝（１１２）、搾汁滓排出孔（１２０）、搾汁物排出孔（１３０）、搾汁滓遊動管（１２１）、及び搾汁物遊動管（１３１）が備えられる。
【００３４】
第１ガイド溝（１１１）は、ドラム（１００）の中央を中心に案内顎（１１０）の外側に案内顎（１１０）より大きい直径を有する円形状で形成される、第１ガイド溝（１１１）には、ドラム（１００）の底面を上下に貫通する搾汁滓排出孔（１２０）が形成される。
【００３５】
第２ガイド溝（１１２）は、ドラム（１００）の中央を中心に案内顎（１１０）の内側に案内顎（１１０）より小さい直径を有する円形状で形成され、第２ガイド溝（１１２）には、ドラム（１００）の底面を上下に貫通する搾汁物排出孔（１３０）が形成される。
【００３６】
搾汁滓遊動管（１２１）及び搾汁物遊動管（１３１）は、それぞれ搾汁滓排出孔（１２０）及び搾汁物排出孔（１３０）と連通し、ドラム（１００）の外部に延長形成され、搾汁滓及び搾汁物を外部に容易に排出されるようにする。
【００３７】
即ち、搾汁対象物がスクリュー組立体（２００）を通過する過程で、回転力により搾汁物と搾汁滓とに区分される、搾汁物は、後述するメッシュ網（２７６）を通過してスクリュー組立体（２００）の内側から下方に流動した後、第２ガイド溝（１１２）に沿って流動し、搾汁物排出孔（１３０）及び搾汁物遊動管（１３１）を介してジューサーの外部に排出される。そして、搾汁滓はメッシュ網（２７６）を通過せずに、スクリュー組立体（２００）の外部面に沿って下方に流動した後、第１ガイド溝（１１１）に沿って流動し、搾汁滓排出孔（１２０）及び搾汁滓遊動管（１２１）を介してジューサーの外部に排出される。
【００３８】
一方、搾汁滓遊動管（１２１）には、搾汁初期に搾汁滓が一度に全て排出されることにより生じる搾汁率の損失を防ぐことができるように、ある程度の量の搾汁滓が蓄積された後に搾汁滓遊動管（１２１）を開放する機能を持つ弾性パッキング部材（図示せず）がさらに備えられてもよい。
【００３９】
本体（３００）は、その上部がドラム（１００）の底面に相当する大きさで形成されることが好ましく、ドラム（１００）の下部に挿入されて結合する。
【００４０】
本体（３００）は、内部にモータのような回転部材を含み、電源を印加するスイッチ（３３０）が本体（３００）の外面に配置される。
【００４１】
回転部材は、角型軸（３１０）を具備し、角型軸（３１０）がスクリュー組立体（２００）の下部に位置した回転軸（２１０）に形成された角型軸孔（２１２）に挿入され、締結されて回転軸（２１０）を回転させ、回転軸（２１０）を囲むスクリュー組立体（２００）が回転する。
【００４２】
２．実施例１及び実施例２による搾汁スクリュー組立体の説明
以下、図３〜図６を参照し、実施例１及び実施例２によるスクリュー組立体（２００）をさらに詳しく説明する。
【００４３】
図４ａ及び図４ｂは、メッシュ網（２７６）を着脱可能に備えた場合と、図４ｃは、ソリッド網（２７６'）を着脱可能に備えた場合の実施例１を示す。
【００４４】
図５は、メッシュ網（図示せず）又はソリッド網（２７６'）を一体的に備えた実施例２のうち、ソリッド網（２７６'）を備えた場合を示す。
【００４５】
本発明の実施例１及び２によるスクリュー組立体（２００）は、従来の技術とは異なり、上部と下部が分離可能であり、着脱が自由であるため、実施例１で説明されているようにメッシュ網（２７６）とソリッド網（２７６'）のいずれか一つの選択が可能であったり、又は実施例２で説明されているようにメッシュ網（２７６）を備えた組立体下部（２７０）及びソリッド網（２７６'）を備えた組立体下部（２７０）のいずれか１つの選択が可能であり、搾汁モードの調節が可能である。
【００４６】
スクリュー組立体（２００）は、組立体上部（２５０）と組立体下部（２７０）からなる。組立体上部（２５０）と組立体下部（２７０）は、着脱可能に締結される。
【００４７】
組立体上部（２５０）と組立体下部（２７０）を貫通するように、回転軸（２１０）がスクリュー組立体（２００）の中央に位置する。前述したように、回転部材により回転力が回転軸（２１０）に伝達され、回転軸の回転によりスクリュー組立体（２００）が回転して搾汁対象物を搾汁する。
【００４８】
組立体上部（２５０）の外部面には、搾汁刃（２５１）が具備される。搾汁刃（２５１）は、スクリューの形式で備えられ、搾汁対象物が搾汁スクリュー組立体に投入されると、搾汁刃（２５１）により粉砕及び圧着作用が行われ、搾汁物と搾汁滓とに分離される。分離された搾汁物と搾汁滓はスクリュー型の搾汁刃（２５１）に沿って下方に流動する。
【００４９】
組立体上部（２５０）の下部面には、多数の突出部（２５３）が備えられる。多数の突出部（２５３）は、後述する組立体下部（２７０）の上部面に備えられた連結溝（２７３）に挿入可能な構造である。
【００５０】
組立体下部（２７０）の外部面には、搾汁リブ（２７１）が備えられる。搾汁リブ（２７１）は、ドラム（１００）との相互作用により搾汁対象物の粉砕及び圧着作用を助ける。
【００５１】
搾汁リブ（２７１）は、組立体上部（２５０）と組立体下部（２７０）の装着時、搾汁刃（２５１）から連続的につながるように構成されることが望ましい。連続的につながることにより、組立体上部（２５０）での搾汁対象物、搾汁物又は搾汁滓がスクリュー型の搾汁刃（２５１）と搾汁リブ（２７１）に沿って自然に下方に流動することができる。
【００５２】
図４ａ〜図４ｃを参照し、実施例１による組立体下部（２７０）を詳しく説明する。組立体下部（２７０）の本体は、多数の開口部が存在する下部ボディ（２７５）と、多数のホールを含むメッシュ網（２７６）を含む。
【００５３】
組立体下部（２７０）の本体は、多数の開口部が存在する下部ボディ（２７５）と、多数のホールを含むメッシュ網（２７６）、又はソリッド網（２７６'）を含む。
【００５４】
下部ボディ（２７５）は、組立体下部（２７０）の形を維持するフレーム (frame)としての機能を果たす。ユーザーは、自らの意志によりメッシュ網（２７６）及びソリッド網（２７６'）を選択し、下部ボディ（２７５）に装着することができる。即ち、ユーザーは、組立体上部（２５０）と組立体下部（２７０）を取外し、組立体下部（２７０）からメッシュ網（２７６）を取外してソリッド網（２７６'）を装着し、再び組立体上部（２５０）と組立体下部（２７０）を装着させることができ、或いはユーザーの選択によりその逆の過程も可能である。
【００５５】
メッシュ網（２７６）は、多数のホールを介して搾汁物のみを通過させ、搾汁滓は通過させない。スクリュー組立体（２００）の外部から分離された搾汁物と搾汁滓はメッシュ網（２７６）を境に区分されるので、分離された搾汁物と搾汁滓が第１ガイド溝（１１１）と第２ガイド溝（１１２）に区分されて流動する。
【００５６】
メッシュ網（２７６）が装着される場合、搾汁物がスクリュー組立体（２００）の内側に流動して搾汁滓と分離されるが、ソリッド網（２７６'）が装着される場合、搾汁物は、搾汁滓と共にスクリュー組立体（２００）の外部で流動する。
【００５７】
具体的には、ユーザーが搾汁物と搾汁滓を分離したい場合は、メッシュ網（２７６）を選択して装着し、搾汁物と搾汁滓を共に使用したい場合は、ソリッド網（２７６'）を選択して装着する。ソリッド網（２７６'）が選択されると、搾汁物と搾汁滓は、搾汁滓遊動管（１２１）、搾汁物遊動管（１３１）、又は搾汁物と搾汁滓が共に排出されるように備えられた別の排出管（図示せず）を通過して外部に排出される。
【００５８】
本発明の他の実施例では、ユーザーが選択できる網は、メッシュ網（２７６）とソリッド網（２７６'）だけでなく、ホールの大きさがメッシュ網（２７６）とは異なる網をさらに含むこともできる。
【００５９】
図５を参照し、実施例２による組立体下部（２７０）を詳しく説明する。実施例１との違いは、メッシュ網（２７６）が一体に装着された組立体下部（２７０）とソリッド網（２７６'）が一体に装着された組立体下部（２７０）の二つの組立体の下部が存在することである。特に、図５に示されるように、ソリッド網（２７６'）が一体的に組み立てられた組立体下部（２７０）は、一回の射出で一体的に製造することができ、便利である。
【００６０】
実施例１と同様に、ユーザーは、メッシュ網（図示せず）が装着された組立体下部（２７０）とソリッド網（２７６'）が装着された組立体下部（２７０）のいずれか一つを便利に選択することができる。例えば、組立体上部（２５０）と組立体下部（２７０）を取外した後、所望の組立体下部（２７０）を装着させることにより、ユーザーにとって便利なように選択できる。
【００６１】
実施例１と実施例２の共通部分をさらに説明する。
【００６２】
組立体下部（２７０）の上部には、多数の突出部（２５３）が挿入される多数の接続溝（２７３）が位置する。
【００６３】
多数の接続溝（２７３）は、スクリュー組立体（２００）の回転方向に、その下部が延長したＬ字型であることが望ましい。Ｌ字型で形成されることにより、装着時に突出部（２５３）が先に接続溝（２７３）に沿って下方に移動した後、側方に移動して、しっかりと形成される。また、スクリュー組立体（２００）の回転方向に下部が延長されなければ、スクリュー組立体（２００）の回転時にも組立体上部（２５０）と組立体下部（２７０）がしっかりと結束することができない。
【００６４】
図６を参照し、組立体上部（２５０）と組立体下部（２７０）の形状をさらに詳しく説明する。
【００６５】
組立体上部（２５０）は、円錐形の第１部分（Ａ）と逆円錐形の第２部分（Ｂ）を含む。即ち、上部から下方にますます直径が広がり、再び狭くなる。組立体下部（２７０）は、逆円錐形（Ｃ）であり、第２部分（Ｂ）で連続的につながる。
【００６６】
言い換えると、組立体上部（２５０）と組立体下部（２７０）が結合されたスクリュー組立体（２００）の全体的な形状は、円錐形の上部と逆円錐形の下部からなるが、組立体上部（２５０）と組立体下部（２７０）が区分される切断面は、逆円錐形の下部に位置する（図６の断面を横切る点線）。
【００６７】
このような構造を有する理由は、組立体上部（２５０）と組立体下部（２７０）が結合された状態で、スクリュー組立体（２００）が回転するのにしっかりとした結束を達成するためである。
【００６８】
スクリュー組立体（２００）が回転しながらドラム（１００）との相互作用により搾汁対象物を粉砕及び圧着する過程で、スクリュー組立体（２００）には、上部から下部に荷重がかかり、逆円錐形の部分で組立体上部（２５０）と組立体下部（２７０）が結合し、その結合面にかかる荷重が最小になり、これにより、組立体上部（２５０）と組立体下部（２７０）のしっかりとした結合がさらに保障される。
【００６９】
３．実施例３による搾汁スクリュー組立体の説明
以下、図７をさらに参照し、実施例３によるジューサー（５００）を説明する。図２を参考にすると、搾汁スクリュー組立体の部分のみが相違する。
【００７０】
実施例１及び２とは異なり、搾汁機スクリュー組立体が一つのボディからなるものではなく、スクリュー組立体（２００）とドラム（１００）との間に個別に区分られた網ドラム（２８０）が位置し、場合によっては、別途に区分されたブラシ（２９０）をさらに含むことができる。
【００７１】
実施例１及び２とは異なり、網ドラム（２８０）にメッシュ網（図示せず）が位置する場合、搾汁物はメッシュ網（図示せず）を通過して網ドラム（２８０）のメッシュ網（図示せず）の外部面に沿って下方に流動して排出され、搾汁滓はメッシュ網（図示せず）を通過せず、スクリュー組立体（２００）と網ドラム（２８０）との間で下方に流動して排出される。
【００７２】
即ち、実施例１及び２において、メッシュ網（２７６）が備えられた場合、搾汁物が放射状の内側から排出され、搾汁滓が放射状の外側に排出されるが、実施例３では、メッシュ網（図示せず）が備えられた場合、搾汁物が放射状の外側から排出され、搾汁滓が放射状の内側から排出される。
【００７３】
このようなメッシュ網（図示せず）は、網ドラム（２８０）に着脱可能であってもよく、又は一体的に製造されてもよい。
【００７４】
実施例３において、網ドラム（２８０）にソリッド網（２８６'）が位置することができる。これにより、搾汁物と搾汁滓の両方が網ドラム（２８０）を通過せず、スクリュー組立体（２００）と網ドラム（２８０）との間の空間に沿って下方に共に排出される。
【００７５】
このようなソリッド網（２８６'）は、網ドラム（２８０）で着脱可能であってもよく、又は 一体的に製造されてもよい。
【００７６】
４．ジューサー（５００）の作動過程の説明
以下、本発明の一実施例によるジューサー（５００）の作動を添付した図１〜７を参照して説明する。
【００７７】
ジューサー（５００）のスイッチ（３３０）をオンしてジューサー（５００）に電源が印加されると、本体（３００）の内部の回転部材が駆動される。それに備えられた角型軸（３１０）が回転して角型軸（３１０）と連結された回転軸（２１０）に回転力が伝達される。
【００７８】
回転軸（２１０）の回転により、それに結合されたスクリュー組立体（２００）がドラム（１００）内で回転し、ジューサー（５００）の作動が開始される。
【００７９】
ジューサー（５００）が作動すると、前記カバー（１０）に形成された注入口（１１）に注入棒（１２）を利用して搾汁対象物を注入し、注入された搾汁対象物は、スクリュー組立体（２００）に到達してスクリュー組立体（２００）により粉砕及び圧着される。
【００８０】
メッシュ網（２７６）が装着された場合である「第１モード」について説明する。ユーザーが搾汁物と搾汁滓とが分離されることを望む一般的な場合である。実施例１では下部ボディ（２７５）にメッシュ網（２７６）が装着され、実施例２ではメッシュ網（図示せず）が一体的に製造された組立体下部（２７０）が装着され、実施例３では網ドラム（２８０）にメッシュ網（図示せず）が装着される。
【００８１】
注入口（１１）を通じて注入された搾汁対象物はスクリュー組立体（２００）により搾汁物と搾汁滓とに区分されるが、搾汁物と搾汁滓の両方がスクリュー組立体（２００）の外部面に沿って下方に流動する。
【００８２】
実施例１及び２では、搾汁物がメッシュ網（２７６）に達すると、メッシュ網（２７６）を通過してスクリュー組立体（２００）の内側から下方に流動し、第２ガイド溝（１１２）、搾汁物排出孔（１３０）及び搾汁物遊動管（１３１）を順次通過して外部に排出される。
【００８３】
搾汁滓がメッシュ網（２７６）に達すると、メッシュ網（２７６）のホールを通過しないため、スクリュー組立体（２００）の外側から下方に流動することにより、第１ガイド溝（１１１）、搾汁滓排出孔（１２０）及び搾汁滓遊動管（１２１）を順次通過して外部に排出される。
【００８４】
よって、前述のような過程により、搾汁物と搾汁滓とが区分されて排出される。
【００８５】
ソリッド網（２７６'）が装着された場合である「第２モード」について説明する。一般的なジューサーとは異なり、ユーザーが搾汁物と搾汁滓を共に必要とする場合である。スムージー、ミルクセーキ、ニンニク潰し作業などをする場合が考えられる。実施例１では、下部ボディ（２７５）にソリッド網（２７６'）が装着され、実施例２では、ソリッド網（２７６'）が一体に製造された組立体下部（２７０）が装着され、実施例３では、網ドラム（２８０）にソリッド網（２８６'）が装着される。
【００８６】
第１モードと同様に、注入口（１１）を通じて注入された搾汁対象物はスクリュー組立体（２００）により搾汁物と搾汁滓とに区分され、搾汁物と搾汁滓の両方がスクリュー組立体（２００）の外面に沿って下方に流動する。
【００８７】
実施例１及び２では、搾汁物と搾汁滓とがいずれもソリッド網（２７６'）を通過しないため、スクリュー組立体（２００）の外側から下方に流動することにより、第１ガイド溝（１１１）、搾汁滓排出孔（１２０）及び搾汁滓遊動管（１２１）を順次通過して外部に共に排出される。
【００８８】
他の実施例において、スクリュー組立体（２００）の下段の流路形状を変更することにより、搾汁対象物は、第２ガイド溝（１１２）、搾汁物排出孔（１３０）及び搾汁物遊動管（１３１）を順次通過して外部に共に排出することができる。
【００８９】
もう一つの実施例において、搾汁物と搾汁滓とが共に排出される目的で形成された別の排出管（図示せず）を通じて排出されることもある。
【００９０】
第３実施例では、搾汁物と搾汁滓とがいずれも網ドラム（２８０）のソリッド網（２８６'）を通過しないため、スクリュー組立体（２００）と網ドラム（２８０）との間で下方に流動することにより、共に排出される。
【００９１】
以上、本明細書では、本発明を当業者が容易に理解し、再現できるように図示した実施例を参考として説明したが、これは例示的なものに過ぎず、当業者であれば、本発明の実施例から、様々な変形及び均等な他の実施例が可能であるという点を理解することができる。したがって、本発明の保護範囲は、特許請求の範囲により定められるべきである。
【図１】
0006568858.tif 000002
【図２】
0006568858.tif 000003
【図３】
0006568858.tif 000004
【図４ａ】
0006568858.tif 000005
【図４ｂ】
0006568858.tif 000006
【図４ｃ】
0006568858.tif 000007
【図５】
0006568858.tif 000008
【図６】
0006568858.tif 000009
【図７】
0006568858.tif 000010